(57)【要約】 【課題】表示品質を向上させるためのバックライトアセンブリー及び液晶表示装置を開示する。【解決手段】バックライトアセンブリーは白色光を出射する白色ＬＥＤ及び単色光を出射する単色ＬＥＤを具備する。単色ＬＥＤは白色ＬＥＤのＲＧＢ色再現の割合のうち、一番低い割合を有する色に対応する光を出射する。これによって、液晶表示装置の色再現性が向上されて表示品質が向上される。【特許請求の範囲】
【請求項１】
外部から提供される電源に応答して白色光を出射する白色光源、及び前記電源に応答して単色光を出射する単色光源を有する光提供部と、
前記白色光及び前記単色光をガイドする導光領域と、
前記導光領域を囲んだ周辺領域で構成され、前記光提供部の側面に位置する導光板と、
を含むことを特徴とするバックライトアセンブリー。
【請求項２】
前記光提供部は発光ユニットを含み、前記白色光源及び単色光源が一つの発光ユニットを形成することを特徴とする請求項１記載のバックライトアセンブリー。
【請求項３】
前記光提供部は、複数の発光ユニットで構成され、前記発光ユニットは一定の間隔に離隔されることを特徴とする請求項２記載のバックライトアセンブリー。
【請求項４】
前記白色光源から発生した光の大きさが前記単色光源から発生した光の大きさより大きいことを特徴とする請求項２記載のバックライトアセンブリー。
【請求項５】
前記光提供部は、複数の白色光源及び複数の単色光源で構成され、前記複数の白色光源及び前記複数の単色光源は互いに交互的に位置することを特徴とする請求項１記載のバックライトアセンブリー。
【請求項６】
前記白色光源及び前記単色光源は、一定の間隔に互いに離隔されることを特徴とする請求項５記載のバックライトアセンブリー。
【請求項７】
前記白色光源の数は、前記単色光源の数と同じであることを特徴とする請求項５記載のバックライトアセンブリー。
【請求項８】
前記白色光源の数が、前記単色光源の数より多いことを特徴とする請求項５記載のバックライトアセンブリー。
【請求項９】
前記導光板の周辺領域は、前記光提供部と互いに隣接する角が面取りされたことを特徴とする請求項１記載のバックライトアセンブリー。
【請求項１０】
前記白色光の一部の輝度は、前記一部を除くその他の輝度に比べて低い輝度を有し、前記単色光の波長は前記低い輝度を有する部分の波長に対応されることを特徴とする請求項１記載のバックライトアセンブリー。
【請求項１１】
前記単色光は、赤色光、緑色光、青色光及び黄色光で構成されるユニットから選択された一つの光であることを特徴とする請求項１０記載のバックライトアセンブリー。
【請求項１２】
前記光源は、発光ダイオードであることを特徴とする請求項１記載のバックライトアセンブリー。
【請求項１３】
白色光及び単色光を利用して画像を表示する液晶表示パネルと、
外部から提供される電源に応答して前記白色光を出射する白色光源、及び前記電源に応答して前記単色光を出射する単色光源を有する光提供部と、
前記白色光及び単色光をガイドして前記液晶表示パネルに出射する導光領域と、
前記導光領域を囲んだ周辺領域で構成され、前記光提供部の側面に位置する導光板と、
を含むことを特徴とする液晶表示装置。
【請求項１４】
前記光提供部は発光ユニットで構成され、前記発光ユニットは白色光源及び単色光源を含むことを特徴とする請求項１３記載の液晶表示装置。
【請求項１５】
前記光提供部は複数の発光ユニットで構成され、前記複数の発光ユニットは互いに離隔されることを特徴とする請求項１４記載の液晶表示装置。
【請求項１６】
前記光提供部は、複数の白色光源及び複数の単色光源で構成され、前記複数の白色光源及び前記複数の単色光源は互いに交互的に位置することを特徴とする請求項１３記載の液晶表示装置。
【請求項１７】
前記複数の白色光源及び前記複数の単色光源は互いに離隔されることを特徴とする請求項１６記載の液晶表示装置。
【請求項１８】
前記導光板の周辺領域は、前記光提供部と互いに隣接する角が面取りされたことを特徴とする請求項１３記載の液晶表示装置。
【請求項１９】
前記単色光の色は、前記白色光源のＲＧＢ色のうち、一番低い輝度を有する色と対応することを特徴とする請求項１３記載の液晶表示装置。
【請求項２０】
前記光源は発光ダイオードであることを特徴とする請求項１３記載の液晶表示装置。
【発明の詳細な説明】
【技術分野】
【０００１】
本発明はバックライトアセンブリー及びこれを有する液晶表示装置に関し、より詳細には色再現性を向上させるためのバックライトアセンブリー及びこれを有する液晶表示装置に関するものである。
【背景技術】
【０００２】
一般的に、液晶表示装置（ＬＣＤ）は光を利用して画像を表示する液晶表示パネル及び光を発生して液晶表示パネルに提供するためのバックライトアセンブリーを含む。
【０００３】
バックライトアセンブリーは光を発生する光源を具備するが、光源としては冷陰極蛍光ランプ（ＣＣＦＬ）や発光ダイオード（ＬＥＤ）などが用いられる。
【０００４】
ＬＥＤはＣＣＦＬより発光面積が小さい点光源（ｐｏｉｎｔ  ｓｏｕｒｃｅ  ｏｆ  ｌｉｇｈｔ）である。中小型液晶表示装置は液晶表示パネルの大きさが数インチ（ｉｎｃｈ）程度なので、ＣＣＦＬより大きさが小さいＬＥＤが光源に利用される趨勢である。
【０００５】
液晶表示装置に適用されるＬＥＤは白色光を発光する白色ＬＥＤが利用される。一般的に白色ＬＥＤは一部の波長を有する光の輝度が他の波長を有する光の輝度より低い。一部の波長の光の輝度が低いと、液晶表示装置の色再現性が低下されて液晶表示装置の表示品質が低下される。
【発明の開示】
【発明が解決しようとする課題】
【０００６】
本発明の目的は、液晶表示装置の表示品質を向上させるためのバックライトアセンブリーを提供することにある。
【０００７】
また、本発明の他の目的は、前記のバックライトアセンブリーを有する液晶表示装置を提供することにある。
【課題を解決するための手段】
【０００８】
前記本発明の目的を実現するための特徴によるバックライトアセンブリーは、光提供部及び光提供部の側面に位置する導光板で構成される。光提供部は外部から提供される電源に応答して白色光を出射する白色光源及び単色光を出射する単色光源で構成される。導光板は白色光及び前記単色光をガイドする導光領域及び前記導光領域を囲んだ周辺領域で構成される。
【０００９】
このようなバックライトアセンブリーによると、前記バックライトアセンブリーが白色光源及び前記白色光源から発生された光のうち、輝度が低いカラーに対応する単色光源を共に具備することで、色再現性が向上され、液晶表示装置の表示品質が向上される。
【発明を実施するための最良の形態】
【００１０】
以下、添付した図面を参照して、本発明の望ましい実施例をより詳細に説明する。
【００１１】
液晶表示装置に適用されるＬＥＤは白色光を発光する白色ＬＥＤが利用される。白色ＬＥＤはＩｎｉＧａｊＡｌｋＮの半導体化合物である青色発光部（ｂｌｕｅ  ｌｉｇｈｔ  ｅｍｉｔｔｉｎｇ  ｐｏｒｔｉｏｎ）及びＹ３Ａｌ５Ｏ１２：Ｃｅのような黄色蛍光体がコーティングされた真空管で構成される。白色ＬＥＤの赤色（Ｒ）、緑色（Ｇ）、青色（Ｂ）に対応する色度（ｃｈｒｏｍａｔｉｃｉｔｙ）は下記する表１のようである。
【００１２】
【表１】
2005056842.tif 000002
図１は白色ＬＥＤの色度図（ｃｈｒｏｍａｔｉｃｉｔｙ  ｄｉａｇｒａｍ）を示したグラフであって、白色ＬＥＤの色度図を国際照明委員会（ＣＩＥ）標準色度図及びアメリカＴＶシステム委員会（ＮＴＳＣ）標準色度図と比べて示した。
【００１３】
表１及び図１を参照すると、白色ＬＥＤでの赤色の色度座標は（５．０５Ｅ−０１，３．５０Ｅ−０１，１．４５Ｅ−０１）であり、緑色の色度座標は（３．４４Ｅ−０１，４．６６Ｅ−０１，１．９０Ｅ−０１）であり、青色の色度座標は（１．６３Ｅ−０１，２．０９Ｅ−０１，６．２８Ｅ−０１）である。白色ＬＥＤは赤色、緑色及び青色の色度座標を連結した三角型の範囲内で多様な色を表現することができる。
【００１４】
ＣＩＥ標準色度図（Ｃ）による赤色、緑色及び青色のｘ、ｙ色度座標は赤色（７．３４７Ｅ−０１，２．６５３Ｅ−０１）、緑色（０．２２２Ｅ−０１，７．７９６Ｅ−０１）、青色（０．５４７Ｅ−０１，２．５４１Ｅ−０１）である。
【００１５】
ＮＴＳＣ標準色度図（Ｎ）による赤色、緑色及び青色のｘ、ｙ色度座標は赤色（６．７００Ｅ−０１，３．３００Ｅ−０１）、緑色（２．１００Ｅ−０１，７．１００Ｅ−０１）、青色（１．４００Ｅ−０１，０．８００Ｅ−０１）である。
【００１６】
ＣＩＥ標準色度図（Ｃ）は赤色、緑色及び青色の色度座標を連結すると、馬蹄型（Ｈｏｒｓｅｓｈｏｗ）のカーブができる。ＮＴＳＣの標準色度図（Ｎ）は、赤色、緑色及び青色の色度座標を連結すると、三角型のグラフができる。ＮＴＳＣの標準色度図（Ｎ）は、ＣＩＥ標準色度図（Ｃ）より表現することができる色の種類が少ない。
【００１７】
一方、白色ＬＥＤ（Ｗ＿ＬＥＤ）は、赤色、緑色及び青色の色度座標を連結すると、三角型のグラフができ、ＮＴＳＣ標準色度図（Ｎ）より表現することができる色の範囲が少ない。特に、白色ＬＥＤ（Ｗ＿ＬＥＤ）によって生成される赤色に対応する波長の光量は緑色又は青色に対応する波長の光量に比べて少ない。
【００１８】
図２は、赤色、緑色及び青色カラーフィルターを通過した光及び白色ＬＥＤから発生した光の波長と相対輻射量の関係を示したグラフである。
【００１９】
図２を参照すると、赤色カラーフィルター（ＣＦ＿Ｒ）を通過する光は約６００ｎｍ乃至約７５０ｎｍの波長を有し、緑色カラーフィルター（ＣＦ＿Ｇ）を通過する光は約５００ｎｍ乃至約６００ｎｍの波長を有し、青色カラーフィルター（ＣＦ＿Ｂ）を通過する光は約４００ｎｍ乃至約５００ｎｍの波長を有する。
【００２０】
白色ＬＥＤ（ＢＬ）は、青色に対応される約４５０ｎｍ乃至４７０ｎｍの波長での相対輻射量よりも、赤色に対応される約６００ｎｍ乃至７５０ｎｍの波長での相対輻射量が低い。また、緑色に対応される約５００ｎｍ乃至６００ｎｍの波長での相対輻射量より赤色に対応される約６００ｎｍ乃至約７５０ｎｍの波長での相対輻射量が低い。
【００２１】
液晶表示装置のカラー別輝度は、カラーフィルターを通過した光の相対輻射量及びバックライトアセンブリー、即ち、白色ＬＥＤの相対輻射量の合計とほぼ同じく表示される。
【００２２】
これによって、白色ＬＥＤ（ＢＬ）の輝度は赤色に対応する波長帯で低く表示されるので、白色ＬＥＤが具備された液晶表示装置は赤色に対応する輝度が他の色に対応する輝度に比べて低い。従って、映像の赤色輝度が減少して液晶表示装置の色再現性が低くて、液晶表示装置の表示品質が低下される。
【００２３】
図３は、本発明の一実施例による液晶表示装置を示した分解斜視図である。
【００２４】
図３を参照すると、本発明による液晶表示装置４００は光を利用して画像を表示する液晶表示パネルアセンブリー１００、前記光を発生するバックライトアセンブリー２００、前記液晶表示パネルアセンブリー１００及び前記バックライトアセンブリー２００を収納するモールドフレーム３００を含む。
【００２５】
前記液晶表示パネルアセンブリー１００は画像を表示する液晶表示パネル１１０及び外部からの印加を受けた映像信号を前記液晶表示パネル１１０に伝送する延性回路基板１２０を含む。
【００２６】
前記液晶表示パネル１１０は薄膜トランジスタ基板（ＴＦＴ）１１１、前記ＴＦＴ基板１１１と互いに対向して結合するカラーフィルター基板１１２及び前記ＴＦＴ基板１１１及び前記カラーフィルター基板１１２との間に注入された液晶層（図示せず）を含む。
【００２７】
前記ＴＦＴ基板１１１は第１透明基板及び前記第１透明基板上にマトリックスの形態に配列された複数のスイッチング素子を含む。前記スイッチング素子はＴＦＴを含む。前記カラーフィルター基板１１２は第２透明基板及び前記第２透明基板上に配置され、前記光に応答して所定の色を発現するＲＧＢ色画素を含む。前記ＲＧＢ色画素はコーティング工程、蒸着工程などによって形成されることができる。
【００２８】
前記ＴＦＴ基板１１１のソース側にはデータ信号を前記スイッチング素子に印加するためのデータ駆動回路（図示せず）が配置される。この時、前記ＴＦＴ基板１１１のソース側には複数のデータ駆動回路が配置されることもできる。前記ＴＦＴ基板１１１のゲート側にはゲート信号を前記スイッチング素子に印加するためのゲート駆動回路（図示せず）が配置される。この時、前記ＴＦＴ基板１１１のゲート側には複数のゲート駆動回路が配置されることもできる。前記データ及びゲート駆動回路は前記映像信号に対応して前記ＴＦＴ基板１１１のスイッチング素子を駆動する駆動信号及びその駆動時期を制御するためのタイミング信号を出力する。
【００２９】
前記ＴＦＴ基板１１１のソース側には前記延性回路基板１２０が付着される。前記延性回路基板１２０は前記データ及びゲート駆動回路と電気的に連結されて前記映像信号を前記データ及びゲート駆動回路に印加する。
【００３０】
一方、前記液晶表示パネルアセンブリー１００の下には前記液晶表示パネル１１０に均一の輝度を有する光を提供するための前記バックライトアセンブリー２００が具備される。
【００３１】
前記バックライトアセンブリー２００は光を発生する光源２１０、前記光を経路を変更して前記液晶表示パネル１１０側に出射するための導光板２２０、前記導光板２２０から出射された光の輝度を均一にする光学シート２３０及び前記導光板２２０から漏洩した光を反射するための反射板２４０を含む。この時、前記バックライトアセンブリー２００が複数の光源２１０を含むこともできる。
【００３２】
前記光源２１０は前記導光板２２０の一側面に配置される。前記光源２１０は発光ダイオード（ＬＥＤ）を含む。前記光源２１０は白色ＬＥＤ及び赤色ＬＥＤを含む。この時、前記光源２１０が複数の白色ＬＥＤ及び複数の赤色ＬＥＤを含むこともできる。前記白色ＬＥＤ及び赤色ＬＥＤは互いに交互的に配置される。この時、前記光源２１０が白色ＬＥＤ及び緑色ＬＥＤを含むこともできる。また、前記光源２１０が白色ＬＥＤ及び青色ＬＥＤを含むこともできる。尚、  前記光源２１０が白色ＬＥＤ及び黄色ＬＥＤを含むこともできる。
【００３３】
前記導光板２２０は画像が表示される前記液晶表示パネル１１０の表示領域に前記光をガイドする。前記導光板２２０は導光パターン（図示せず）を含むこともできる。前記導光パターンは前記表示領域と対応する導光領域に形成される。
【００３４】
前記導光板２２０及び前記液晶表示パネル１１０の間には前記光学シート２３０が介在される。前記光学シート２３０は前記導光板２２０から提供された前記光の輝度を均一にする。
【００３５】
前記反射板２４０は前記導光板２２０の下に配置される。前記導光板２２０から漏洩した光は前記反射板２４０で反射して前記導光板２２０に誘導され、前記液晶表示装置４００の輝度が形成される。
【００３６】
前記バックライトアセンブリー２００及び前記液晶表示パネル１１０は収納容器である前記モールドフレーム３００に収納される。前記モールドフレーム３００は開口部を有する底板３１０及び前記低板３１０の際から延長された側壁３２０を含む。前記バックライトアセンブリー２００は前記底板３１０上に配置され、前記液晶表示パネル１１０は前記バックライトアセンブリー２００上に配置される。前記延性回路基板１２０はモールドフレーム３００の外側壁３２０に沿って折曲げられる。
【００３７】
図４は、図３に図示された光源を示した平面図である。
【００３８】
図４を参照すると、前記導光板２２０は前記導光領域（ＬＧ）及び前記導光領域（ＬＧ）を囲んだ周辺領域（ＯＡ）で構成される。前記光源２１０は前記導光領域（ＬＧ）から前記光源２１０が位置する前記周辺領域（ＯＡ）の幅の分だけ離隔されて配置される。
【００３９】
これによって、前記導光板２２０は前記光が前記導光板２２０の上側の角に入射されて前記上側の角に光がたまって輝線が発生すると、前記輝線が前記周辺領域（ＯＡ）に配置され、前記導光領域（ＬＧ）は前記周辺領域（ＯＡ）より均一の輝度を有する。
【００４０】
前記導光板２２０の前記光源２１０と隣接した両側の角が面取りされて前記光源２１０から出射された光のうち、前記両側の角に入射される光が前記導光領域（ＬＧ）にガイドされる。
【００４１】
前記光源２１０は、第１乃至第３発光ユニット２１１，２１２，２１３で構成される。前記それぞれの発光ユニット２１１，２１２，２１３は互いに離隔されて配置される。
【００４２】
前記第１発光ユニット２１１は、第１白色ＬＥＤ１１ａ及び第１赤色ＬＥＤ１１ｂで構成される。前記第２発光ユニット２１２は、第２白色ＬＥＤ１２ａ及び第２赤色ＬＥＤ１２ｂで構成される。前記第３発光ユニット２１３は、第３白色ＬＥＤ１３ａ及び第３赤色ＬＥＤ１３ｂで構成される。ここで、白色ＬＥＤの数は、赤色ＬＥＤの数と同数である。
【００４３】
前記第１乃至第３白色ＬＥＤ１１ａ，１２ａ，１３ａは、外部から提供される電源に応答して白色光を発光する。前記第１乃至第３白色ＬＥＤ１１ａ，１２ａ，１３ａはＩｎｉＧａｊＡｌｋＮの半導体化合物である青色発光部（ｂｌｕｅ  ｌｉｇｈｔ  ｅｍｉｔｔｉｎｇ  ｐｏｒｔｉｏｎ）及び黄色蛍光物質がコーティングされた真空管で構成される。この時、黄色蛍光物質としてはＹ３Ａｌ５Ｏ１２：Ｃｅがある。
【００４４】
前記第１乃至第３赤色ＬＥＤ１１ｂ，１２ｂ，１３ｂは前記電源に応答して赤色光を出射する。
【００４５】
本実施例において、前記液晶表示装置４００は三つの白色ＬＥＤと三つの赤色ＬＥＤを具備するが、白色ＬＥＤ及び赤色ＬＥＤの個数は前記液晶表示パネル１１０の大きさによって減少するか増加されることができる。また、発光ユニットの個数は前記白色ＬＥＤ及び前記赤色ＬＥＤの個数によって変わることができる。
【００４６】
前記第１乃至第３白色ＬＥＤ１１ａ，１２ａ，１３ａ及び前記第１乃至第３赤色ＬＥＤ１１ｂ，１２ｂ，１３ｂは互いに交互的に位置する。従って前記第１乃至第３白色ＬＥＤ１１ａ，１２ａ，１３ａ及び前記第１乃至第３赤色ＬＥＤ１１ｂ，１２ｂ，１３ｂから出射される光は互いに混合されて前記導光板２２０に入射される。
【００４７】
それぞれのＬＥＤに提供される電圧はＲ：Ｇ：Ｂの相対輝度に対応して提供される。この時、前記Ｒ：Ｇ：Ｂの相対輝度は３：６：１であることが望ましい。
【００４８】
本実施例において、前記液晶表示装置４００は白色ＬＥＤ及び赤色ＬＥＤを具備するが、前記白色ＬＥＤの種類によって単色光を出射するＬＥＤの種類が変わる。例えば、白色ＬＥＤの青色輝度が赤色又は緑色輝度より小さい場合、前記光源２１０は白色ＬＥＤ及び青色光を出射する青色ＬＥＤで構成される。また、白色ＬＥＤの緑色輝度が赤色又は青色輝度より小さい場合、前記光源２１０は白色ＬＥＤ及び緑色光を出射する緑色ＬＥＤで構成される。
【００４９】
前述したように、本発明による光源２１０は複数の白色ＬＥＤ及び複数の赤色ＬＥＤで構成され、前記白色ＬＥＤ及び前記赤色ＬＥＤは互いに交互的に配置される。従って、前記液晶表示装置４００の赤色の輝度が増加して前記液晶表示装置４００の色再現性が向上され、前記液晶表示装置４００は原色を表示することができるので、表示品質が向上される。
【００５０】
図５は、本発明の他の実施例による光源を示した平面図である。本実施例で図４の光源と同じ構成要素に対しては詳細な説明を省略する。
【００５１】
図５を参照すると、前記光源２５０は前記導光板２２０の側面に位置する。前記光源２５０は第１乃至第３白色ＬＥＤ２５１ａ，２５１ｂ，２５１ｃ及び第１乃至第３赤色ＬＥＤ２５２ａ，２５２ｂ，２５２ｃで構成される。
【００５２】
前記第１乃至第３白色ＬＥＤ２５１ａ，２５１ｂ，２５１ｃは外部から提供される電源に応答して白色光を出射する。前記第１乃至第３白色ＬＥＤ２５１ａ，２５１ｂ，２５１ｃはＩｎｉＧａｊＡｌｋＮの半導体化合物である青色発光部（ｂｌｕｅ  ｌｉｇｈｔ  ｅｍｉｔｔｉｎｇ  ｐｏｒｔｉｏｎ）及び黄色蛍光物質がコーティングされた真空管で構成される。この時、黄色蛍光物質としてはＹ３Ａｌ５Ｏ１２：Ｃｅがある。
【００５３】
前記第１乃至第３赤色ＬＥＤ２５２ａ，２５２ｂ，２５２ｃは前記電源に応答して赤色光を出射する。
【００５４】
本実施例において、前記光源２５０は三つの白色ＬＥＤと三つの赤色ＬＥＤで構成されるが、白色ＬＥＤ及び赤色ＬＥＤの個数は前記液晶表示パネル１１０の大きさによって減少されるか増加されることができる。
【００５５】
前記第１乃至第３白色ＬＥＤ２５１ａ，２５１ｂ，２５１ｃ及び前記第１乃至第３赤色ＬＥＤ２５２ａ，２５２ｂ，２５２ｃは互いに交互的に配置され、所定間隔に離隔されて位置する。この時、前記第１乃至第３白色ＬＥＤ２５１ａ，２５１ｂ，２５１ｃ及び前記第１乃至第３赤色ＬＥＤ２５２ａ，２５２ｂ，２５２ｃは、前記導光板２２０の側面に順次配置される。
【００５６】
従って、前記第１赤色ＬＥＤ２５２ａは第１及び第２白色ＬＥＤ２５１ａ，２５１ｂの間に位置し、前記第２赤色ＬＥＤ２５２ｂは前記第２及び第３白色ＬＥＤ２５１ｂ，２５１ｃの間に配置される。また、前記第３白色ＬＥＤ２５１ｃは前記第２赤色ＬＥＤ２５２ｂ及び第３赤色ＬＥＤ２５２ｃの間に配置される。
【００５７】
前記第１乃至第３白色ＬＥＤ２５１ａ，２５１ｂ，２５１ｃ及び前記第１乃至第３赤色ＬＥＤ２５２ａ，２５２ｂ，２５２ｃから出射される光は互いに混合されて前記導光板２２０に入射される。
【００５８】
本実施例において、前記光源２５０は白色ＬＥＤ及び前記赤色ＬＥＤで構成されるか前記白色ＬＥＤの種類によって単色光を出射するＬＥＤの種類が変わる。例えば、白色ＬＥＤの青色輝度が赤色又は緑色輝度より小さい場合には、前記光源２５０は白色ＬＥＤ及び青色光を出射する青色ＬＥＤで構成される。また、白色ＬＥＤの緑色輝度が赤又は青色輝度より小さい場合には、前記光源２５０は白色ＬＥＤ及び緑色光を出射する緑色ＬＥＤをを含む。前述したように、本発明による光源２５０は複数の白色ＬＥＤ及び複数の赤色ＬＥＤで構成され、前記白色ＬＥＤ及び前記赤色ＬＥＤは互いに交互に離隔して配置される。従って、前記液晶表示装置４００の赤色の輝度が増加して前記液晶表示装置４００の色再現性が向上され、前記液晶表示装置４００は原色を表示することができるので、表示品質が向上される。
【００５９】
図６は、本発明の他の実施例による光源を示した平面図である。本実施例で図４の光源と同じ構成要素に対しては詳細な説明を省略する。
【００６０】
図６を参照すると、前記光源２５５は第１乃至第３発光ユニット２２１，２２２，２２３を含む。前記第１発光ユニット２２１は第１白色ＬＥＤ２１ａ及び第１赤色ＬＥＤ２１ｂを含む。前記第２発光ユニット２２２は第２白色ＬＥＤ２２ａ及び第２赤色ＬＥＤ２２ｂを含む。前記第３発光ユニット２２３は第３白色ＬＥＤ２３ａ及び第３赤色ＬＥＤ２３ｂを含む。
【００６１】
前記それぞれの第１乃至第３白色ＬＥＤ２１ａ，２２ａ，２３ａの大きさは前記それぞれの第１乃至第３赤色ＬＥＤ２１ｂ，２２ｂ，２３ｂの大きさより大きい。また、前記それぞれの第１乃至第３白色ＬＥＤ２１ａ，２２ａ，２３ａに印加される電圧の大きさは前記それぞれの第１乃至第３赤色ＬＥＤ２１ｂ，２２ｂ，２３ｂに印加される電圧の大きさより大きい。従って、前記それぞれの第１乃至第３白色ＬＥＤ２１ａ，２２ａ，２３ａから発生した光の輝度は前記それぞれの第１乃至第３赤色ＬＥＤ２１ｂ，２２ｂ，２３ｂから発生した光の輝度より大きい。
【００６２】
前記実施例では、光源２５５は、複数の白色ＬＥＤ及び複数の赤色ＬＥＤで構成され、前記白色ＬＥＤ及び前記赤色ＬＥＤは互いに交互的に配置されるとともに、光源２５５では、前記ＬＥＤの大きさ及び前記ＬＥＤに印加される電圧の大きさを調節して前記ＬＥＤから発生した光の輝度を調節する。このように、各ＬＥＤに印加する電圧を調整することで、前記液晶表示装置４００の赤色の輝度が増加して前記液晶表示装置４００の色再現性が向上され、前記液晶表示装置４００は原色を表示することができるので、表示品質が向上される。
【００６３】
図７は、本発明の他の実施例による光源を示した平面図である。本実施例で図４の光源と同じ構成要素に対しては詳細な説明を省略する。
【００６４】
図７を参照すると、前記光源２６０は前記導光板２２０の側面に位置する。前記光源２６０は第１乃至第４白色ＬＥＤ２６１ａ，２６１ｂ，２６１ｃ，２６１ｄ及び第１及び第２赤色ＬＥＤ２６２ａ，２６２ｂで構成される。ここで、白色ＬＥＤの数は、赤色ＬＥＤの数よりも多い。
【００６５】
前記第１赤色ＬＥＤ２６２ａは前記第１白色ＬＥＤ２６１ａと前記第２白色ＬＥＤ２６１ｂとの間に配置される。前記第２赤色ＬＥＤ２６２ｂは前記第３白色ＬＥＤ２６１ｃと前記第４白色ＬＥＤ２６１ｄの間に配置される。前記第２白色ＬＥＤ２６１ｂは前記第３白色ＬＥＤ２６１ｃに隣接に配置される。
【００６６】
前記第１乃至第４白色ＬＥＤ２６１ａ，２６１ｂ，２６１ｃ，２６１ｄ及び前記第１及び第２赤色ＬＥＤ２６２ａ，２６２ｂから出射される光は互いに混合されて前記導光板２２０に入射される。
【００６７】
本実施例に示すように、前記白色ＬＥＤ２６１ａ，２６１ｂ，２６１ｃ，２６１ｄの数及び前記赤色ＬＥＤ２６２ａ，２６２ｂの数が調節されて液晶表示装置の色再現性が向上される。
【産業上の利用可能性】
【００６８】
以上で説明したように、本発明によると液晶表示装置は白色光源及び単色光源を有するバックライトアセンブリーを含む。前記単色光源は前記白色光源から発生した光のうち、輝度が低いカラーに対応する。これによって、液晶表示装置の色再現性が向上されて表示品質を向上させることができる。
【００６９】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００７０】
【図１】白色発光ダイオードの色度図を示したグラフである。
【図２】赤色、緑色及び青色カラーフィルターを通過した光及び白色ＬＥＤから発生した光の波長と相対輻射量の関係を示したグラフである。
【図３】本発明の一実施例による液晶表示装置を示した分解斜視図である。
【図４】図３に図示された光源を示した平面図である。
【図５】本発明の他の実施例によるランプを示した平面図である。
【図６】本発明のまた他の実施例によるランプを示した平面図である。
【図７】本発明のまた他の実施例によるランプを示した平面図である。
【符号の説明】
【００７１】
１００    液晶表示パネルアセンブリー
１１０    液晶表示パネル
１１１    薄膜トランジスタ基板
１１２    カラーフィルター基板
１２０    延性回路基板
２００    バックライトアセンブリー
２１０、２５０、２５５、２６０    光源
２１１、２２１    第１発光ユニット
２１２、２２２    第２発光ユニット
２１３、２２３    第３発光ユニット
２２０    導光板
２３０    光学シート
２４０    反射板
３００    モールドフレーム
３１０    底板
３２０    側壁
４００    液晶表示装置
【図１】
2005056842.tif 000003
【図２】
2005056842.tif 000004
【図３】
2005056842.tif 000005
【図４】
2005056842.tif 000006
【図５】
2005056842.tif 000007
【図６】
2005056842.tif 000008
【図７】
2005056842.tif 000009